【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】  放送マルチメディア・プログラム・コンテンツおよび広告を処理して、マルチメディア・データ・コンテンツとユーザをターゲットとした広告とを有する複合プログラム・データストリーム）を複数の個々のユーザに提供するシステムであって、
複数の放送ソースの認証を決定して、（ａ）ストリーム化されたオーディオ・データ、（ｂ）ストリーム化されたビデオ・データ、（ｃ）音声表現データ、（ｄ）ボイスメール・データのうちの少なくとも一つを含む放送マルチメディア・プログラム・コンテンツを前記システムに同時に提供するように動作可能な条件アクセス・プロセッサと、
指定された広告を選択された放送マルチメディア・プログラム・コンテンツの中に挿入する時刻をスケジュールするように動作可能なスケジューラであって、複数のソースから広告を受信して、事前にキャッシュし、スケジュールされた時刻で、前記選択されたマルチメディア・プログラム内への挿入用の前記指定される広告の選択用の、複数の候補広告を提供するスケジューラと、
スケジュールされた挿入時刻で、指定された広告を選択されたマルチメディア・プログラム・コンテンツの中に挿入して、複合プログラム・データストリームを形成すること、および前記複合プログラム・データストリームを前記複数のユーザのうちの対応するユーザに結合すること、を複数のユーザについて並列で実施することにより、複数のユーザに、個々のユーザに合わせた複合プログラム・データストリームを提供するように動作可能なマルチプレクサと
を備えることを特徴とするシステム。
【請求項２】  前記スケジューラは、（ａ）前記選択された放送マルチメディア・プログラムの放送ソースによって提供されたスケジューリング情報、（ｂ）前記指定された広告のソースによって提供されたスケジューリング情報、のうちの少なくとも１つに基づいて、前記指定された広告の前記マルチメディア・プログラム・コンテンツへの挿入をスケジュールすることを特徴とする請求項１に記載のシステム。
【請求項３】  前記スケジューリング情報は、複数の放送マルチメディア・プログラムを包括する広告スケジューリング情報を含むことを特徴とする請求項２に記載のシステム（３０）。
【請求項４】  放送ソースによって提供された前記スケジューリング情報は、（ａ）前記放送マルチメディア・プログラムへの広告挿入に使用可能なタイム・スロットを指示する情報と、（ｂ）広告挿入タイム・スロットを指示するマーカで、前記選択された放送マルチメディア・プログラム内のマーカと、（ｃ）広告挿入タイム・スロットを識別するための、タイム・スタンプ表示からの情報、のうちの少なくとも１つを含むことを特徴とする請求項２に記載のシステム。
【請求項５】  前記マルチプレクサは、前記複合プログラム・データストリームからなる格納されたデータをマッピングすることによって、前記複合プログラム・データストリームをリピートし、複数のユーザへの結合用の前記複合プログラム・データストリームの複数の格納されたコピーを提供し、前記複合プログラム・データストリームの放送についてスケーラブルな拡張を可能にすることを特徴とする請求項１に記載のシステム。
【請求項６】  前記マルチプレクサは、ユーザ接続を追跡し、（ａ）ユーザの好むプログラム・ソース、（ｂ）広告放送の数、（ｃ）前記複合プログラム・データストリームを受信しているユーザの数、（ｄ）特定の複合プログラム・データストリームへのユーザ接続の長さ、のうちの少なくとも１つを含むユーザ接続に関連する統計のデータベースを維持することを特徴とする請求項１に記載のシステム（３０）。
【請求項７】  前記マルチプレクサは、前記スケジュールされた挿入時刻で、タイム・スロットに適切な持続時間の複数の使用可能な広告から一つの広告を選択することにより、コマンドに応答して、前記複合プログラム・データストリームの放送中にユーザをターゲットとした広告を動的に再割り当てすることを特徴とする請求項１に記載のシステム。
【請求項８】  非ローカル・ソース（non-locally source）の広告に優先して、ローカル・ソース（locally source）の広告が前記タイム・スロット用に選択されることを特徴とする請求項７に記載のシステム。
【請求項９】  前記複合プログラム・データストリームを解析して、誤りを検出するように動作可能であり、検出した誤りにより生じる結果を軽減するように動作可能な誤り隠蔽機能を有する、誤りプロセッサをさらに備えることを特徴とする請求項８に記載のシステム。
【請求項１０】  ユーザ・プロファイル・データベース内の以前にコンパイルしたユーザ・プリファレンス・データに基づいて個々のユーザに配信するため、複数の使用可能な異なる広告の１つを割り当てるように動作可能なユーザ・プロファイル・データベースと、
前のユーザ・プログラム選択履歴に基づいて前記ユーザ・プロファイル・データベース内で使用されるユーザ・プリファレンス（好み）情報をコンパイルするように動作可能なデータ取得プロセッサとをさらに備えることを特徴とする請求項１に記載のシステム。
【請求項１１】  前記条件付きアクセス・プロセッサは、放送ソース（１２）の認証を決定して、（ａ）放送者ＩＤ、および（ｂ）パスワード、のうちの少なくとも１つに基づいて放送マルチメディア・プログラム・コンテンツを提供することを特徴とする請求項１に記載のシステム。
【請求項１２】  前記条件付きアクセス・プロセッサは、（ａ）暗号化した放送マルチメディア・プログラム・コンテンツ、および（ｂ）暗号化した認証コードまたはパスワード、のうちの少なくとも１つを解読する解読機能を含むことを特徴とする請求項１に記載のシステム。
【請求項１３】  前記マルチプレクサは、前記複合プログラム・データストリームの放送のスケーラブルな拡張を可能にするように複数のユーザに結合するために、前記複合プログラム・データストリームの複数の格納されたコピーを提供する、前記複合プログラム・データストリームを備える、格納されたデータをマッピングすることによって前記複合プログラム・データストリームをリピートすることを特徴とする請求項１に記載のシステム。
【請求項１４】  前記条件付きアクセス・プロセッサは、放送する放送者からのプログラム・データストリームを解読することによって、前記放送ソースが前記複数のユーザに放送されることを可能にし、放送時刻を考慮する検証ルーチンによって、前記プログラム・データストリームが前記複数のユーザに放送されること防止することを特徴とする請求項１１に記載のシステム。
【手続補正２】
【補正対象書類名】明細書
【補正対象項目名】００３１
【補正方法】変更
【補正の内容】
【００３１】
このように広告が特定のユーザ３２にカストマイズされることが、本発明の一利点である。本発明が、ユーザ３２に対するデータ（ラジオ・プログラム・コンテンツおよび広告）のストリームの連続性を低下することなく、多数の接続したユーザをサポートすることが重要であることを理解されたい。そうでなければ、音（sound）は、途切れ途切れになり、壊れたものになる。このような場合には、聴取者の注意がそがれたり、あるいは完全に聴取者が関心をなくすことにもなりかねない。したがって、マルチプレクサ４０との効率的な相互接続をサポートするために、プログラム・データをステージ（stage）すること、聴取者のデモグラフィクスをキャッシュする（caching）こと、広告ストリームを準備することが、本発明の重要な特徴である。広告は、ローカル的または非ローカル的にソース（source 提供）することができる。非ローカル的にソースされる広告より、ローカル的にソースされる広告の方が好ましい。さらに、デモグラフィクス３８用のユーザ・プロファイル・データベースは、好ましくは、マルチプレクサ４０によって取得された統計とともに、あらかじめコンパイルしたユーザ・プリファレンス・データ（ユーザの好みのデータ）に基づいて、ユーザ３２への配信に対して個々の広告を割り当てることに、使用可能である。同様に、ユーザ・プログラム選択履歴に基づく前のプリファレンス・データも使用することができる。